(57)【特許請求の範囲】
【請求項１】
ネジ棒を操作することにより重量物を移動させる移動装置を重量物に当接させ、前記重量物にあけた貫通孔又は切り欠きからこの移動装置のネジ棒を操作する重量物移動装置のハンドル機具であって、前記ハンドル機具の操作棒の先端に、前記ネジ棒と係合する連結部を備え、且つ、前記貫通孔又は切り欠きに嵌合可能な支持部材を摺動可能に装着したことを特徴とする重量物移動装置のハンドル機具。
【請求項２】
地下に開口された開口部を開閉する蓋と、開口部に設けられたその蓋を支承する受け枠と、前記開口部の側壁であって前記蓋の下方に設けられ前記蓋を昇降するための移動装置と、を有する地下埋設物構造であって、前記移動装置は、前記蓋に一方が当接可能な一対の基板と、その一対の基板を連結するリンク機構と、そのリンク機構をネジ係合し、且つ、前記一対の基板が接近・離反する方向に設けられたネジ棒と、を有していて、前記蓋は、前記ネジ棒の軸心延長上の位置に、ネジ棒を回転操作するための操作棒に摺動可能に装着された支持部材を嵌合可能な貫通孔又は切り欠きを有していることを特徴とする蓋の移動装置を備えた地下埋設物構造。
【発明の詳細な説明】
【０００１】
【発明の属する技術分野】
本発明は、例えば、都市の道路沿いの地下に敷設される地下ケーブル等の接続部の真上路面を被装させる重量蓋の開閉移動や下水道のマンホールの重量蓋の開閉移動、更に重量物体（貨物・コンテナ）の移動等に使用される重量物移動装置のハンドル機具及び蓋の移動装置を備えた地下埋設物構造に関する。
【０００２】
【従来の技術】
従来、都市の道路沿いの地下に敷設される地下ケーブル等の接続部の真上路面を被装させる重量蓋の開閉移動や下水道のマンホールの重量蓋の開閉移動、更に重量物体（貨物・コンテナ）の少距離移動等には、各種のリフト工具や移動装置が使用されている。例えば、地下ケーブル等の接続部の真上路面を被装させる重量蓋やマンホールの重量蓋を移動させるリフト工具としての移動装置としては、矩形又は円盤形の重量蓋をテコの原理により引き上げるものが知られている。
【０００３】
他方、本願出願の発明者は、例えば、図１１に示すように、路面Ｒの地下にケーブルＫ等の接続部を納めた共同電線溝５３をコンクリート製枠体４０と鉄製枠体４３とで形成し、この枠体４３上を被装させた１枚〜数枚の重量蓋１を移動させる移動装置１００を開発した。図示のものは、矩形の各重量蓋１の下側左右に１組ずつの移動装置１００を配置している。そして、重量蓋１の左右両縁にあけたバカ孔１Ａは、図１２に示すように、キャップ３を螺合して閉塞している。そして、図１３に示すように、このキャップを外したバカ孔１Ａから操作用のハンドル２７の先端連結部２７Ｂを挿入し、この直下に配置する移動装置１０の上側基板１３の孔１３Ｃを通してネジ棒１９の先端連結部１９Ａと結合する。そして、図１１に示すように、棒材をクランク状やＴ字状に形成した両方のハンドル２７，２７を２人で同時に操作するか、又は、連接板５で繋いで、１人の作業者でクランク運動させて重量蓋１を移動させるものである。
【０００４】
【発明が解決しようとする課題】
ところが、上記移動装置１００のハンドル２７によると、図１３に示すように、ハンドル２７はその回転時に、下端連結部２７Ｂのみ結合しているだけであるから、バカ孔１Ａ内で２点鎖線のように振れ回されてしまう。このため、正しいハンドル操作ができず、重量蓋１の移動にトラブルを発生させる。そこで、バカ孔１Ａを小さくすると、ハンドル２７の先端に付設した連結部２７Ｂとネジ棒１９の先端連結部１９Ａとが見えず、この係合操作が手探りになるから熟練を要する。このため、移動操作に多くの時間を要するため、簡便に移動作業を行いたいという要求に不向きである。
【０００５】
本発明は上記問題点に鑑み、移動装置における操作用のハンドルとネジ棒との係合操作が確実且つ簡便に行えるようにするとともに、ハンドルを回転するときの回転操作性の向上を図ることができる重量物移動装置のハンドル機具及び蓋の移動装置を備えた地下埋設物構造を提供することを目的とする。
【０００６】
【課題を解決するための手段】
上記目的を達成するべく、本発明の請求項１の重量物移動装置のハンドル機具は、ネジ棒を操作することにより重量物を移動させる移動装置を重量物に当接させ、前記重量物にあけた貫通孔又は切り欠きからこの移動装置のネジ棒を操作する重量物移動装置のハンドル機具であって、前記ハンドル機具の操作棒の先端に、前記ネジ棒と係合する連結部を備え、且つ、前記貫通孔又は切り欠きに嵌合可能な支持部材を摺動可能に装着したことを特徴とするものである。
【０００７】
本発明の請求項１によると、重量物の移動に際して、２つの移動装置が適宜間隔で重量物に当接されており、この移動装置に載せた重量物の両隅に設けた貫通孔又は切り欠きから、ハンドル機具の操作棒の先端に設けた連結部を挿入し、ネジ棒の先端連結部と係合させる。このとき、支持部材を貫通孔又は切り欠きに嵌合させない状態において、重量物の貫通孔又は切り欠きの隙間から内部を覗き込み、操作棒の連結部をネジ棒の先端連結部に目視により係合させる。この係合方法は貫通孔又は切り欠きから内部が目視できるので、ネジ棒の軸心に対して、重量物の貫通孔又は切り欠きの中心がズレているときに素速く係合させられる。又、係合後は操作棒先端の結合点を支点にし、且つ、貫通孔又は切り欠きと接する部位をテコの原理でハンドル操作すれば重量物が横移動し、両者の軸心が合わせられる。
【０００８】
続いて、上記ハンドル機具を手操作により回転させる時、操作棒の連結部がネジ棒の先端連結部と係合し、且つ、操作棒の中腹が、重量物の貫通孔又は切り欠きに嵌合して支持する支持部材によって支持され、２点で回転可能に支持されているから、ハンドル機具は横ブレすることなく、操作棒をネジ棒の軸心に一致させた状態にて円滑に回転操作できる。又、両者の軸心が合わせられるので、重量物を所定の位置に正確に移動できる。
【０００９】
又、本発明の請求項２の蓋の移動装置を備えた地下埋設物構造は、地下に開口された開口部を開閉する蓋と、開口部に設けられたその蓋を支承する受け枠と、前記開口部の側壁であって前記蓋の下方に設けられ前記蓋を昇降するための移動装置と、を有する地下埋設物構造であって、前記移動装置は、前記蓋に一方が当接可能な一対の基板と、その一対の基板を連結するリンク機構と、そのリンク機構をネジ係合し、且つ、前記一対の基板が接近・離反する方向に設けられたネジ棒と、を有していて、前記蓋は、前記ネジ棒の軸心延長上の位置に、ネジ棒を回転操作するための操作棒に摺動可能に装着された支持部材を嵌合可能な貫通孔又は切り欠きを有していることを特徴とするものである。
【００１０】
本発明の請求項２によると、蓋の移動に際して、２つの移動装置が適宜間隔で蓋の下側に配置されており、この移動装置に載せた蓋の両隅に設けた貫通孔又は切り欠きから、ハンドル機具の操作棒の先端に設けた連結部を挿入し、この貫通孔又は切り欠きの下側に位置するネジ棒の先端連結部と係合させる。このとき、支持部材を貫通孔又は切り欠きに嵌合させない状態において、蓋の隙間から内部を覗き込み、操作棒の連結部をネジ棒の先端連結部に目視により係合させる。この係合方法は貫通孔又は切り欠きから内部が目視できるので、ネジ棒の軸心に対して、蓋の貫通孔又は切り欠きの中心がズレているときに素速く係合させられる。又、係合後は操作棒先端の結合点を支点にし、且つ、貫通孔又は切り欠きと接する部位をテコの原理でハンドル操作すれば蓋が横移動し、両者の軸心が合わせられる。
【００１１】
続いて、上記ハンドル機具を手操作により回転させる時、操作棒の連結部がネジ棒の先端連結部と係合し、且つ、操作棒の中腹が、蓋の貫通孔又は切り欠きに嵌合して支持する支持部材によって支持され、２点で回転可能に支持されているから、ハンドル機具は横ブレすることなく、操作棒をネジ棒の軸心に一致させた状態にて円滑に回転操作できる。又、両者の軸心が合わせられるので、蓋を所定の位置に正確に移動できる。
【００１２】
【発明の実施の形態】
以下、本発明の実施形態を図について説明する。図１は重量物の移動装置に使用する本発明のハンドル機具の各実施形態を示す斜視図であり、図２，３は本発明の蓋の移動装置を備えた地下埋設物構造たる共同電線溝の平面図と断面図である。図４はハンドル機具の支持状態を示す断面図である。更に、図５は移動装置の斜視図であり、図６〜１０は本発明ハンドル機具の使用状態を示す正面図である。
【００１３】
本発明のハンドル機具２００の各実施形態から説明する。図１において、上記ハンドル機具２００は、ハンドル２７を構成する握り部２７Ａと、この中腹に直角に溶接した操作棒２７Ｃと、この先端に四角孔レンチを構成する連結部２７Ｂとを備える。勿論、握り部２７Ａと操作棒２７Ｃとは、１本の棒をクランク状に折り曲げて形成してもよい。上記操作棒２７Ｃには、図中（Ａ）で示す筒状の支持部材６０をその支持孔６０Ａにおいて摺動及び回転可能に嵌合している。上記支持部材６０は、図中（Ｂ）で示す大径の段部６３Ｂを形成した支持部材６３の形状としても良い。
【００１４】
上記支持部材６０，６３は、図４，図８に示すように、重量物たる蓋１の左右両縁にあけられキャップ３により閉塞可能としたバカ孔１Ａに対し嵌合して支持される機能と、ハンドル２７の操作棒２７Ｃを摺動及び回転可能に垂直姿勢に支持する機能とを併わせ持っている。即ち、図４はバカ孔１Ａの段部１Ｃと嵌合部１Ｄに対して、段部６３Ｂを形成した支持部材６３の筒部６３Ｃを嵌合支持した状態を示し、ガタの少ないはめ合い精度で嵌合する構造になっている。尚、嵌合部１Ｄの下側に設けた雌ネジ部１Ｅに筒部６３Ｃが触れないようになっている。又、上記支持部材６０は、図８，９，１２に示すように、バカ孔１Ａの段部１Ｃにガタの少ないはめ合い精度で嵌合する構造になっている。上記支持部材６０，６３は、バカ孔１Ａに嵌め込むことによってバカ孔１Ａの周囲、特に雌ネジ部１Ｅを保護することができるようになっている。
【００１５】
続いて、上記本発明のハンドル機具２００を使用して蓋１の移動を行う移動装置１００と、蓋の移動装置を備えた地下埋設物構造たる共同電線溝の構造を説明する。図２，３は、電線共同溝（Ｃ．Ｃ．ＢＯＸ）５３の地下ケーブルの接続部５１の真上路面Ｒを被装する重量物である蓋１を移動させる移動装置１００を示している。
【００１６】
上記電線共同溝５３は、路面地下空間を利用して２以上の電線管理者の電線（光ファイバー、電力、通信線）を共同して収容する施設であってＣ．Ｃ．ＢＯＸ（Ｃｏｍｍｕｎｉｔｙ  Ｃａｂｌｅ  ＢＯＸ）と名付けられている。上記電線共同溝（Ｃ．Ｃ．ＢＯＸ）は、Ｕ字溝等からなるコンクリートの枠体４０と、この上面に載せた鉄製受け枠４３に被せる数枚の蓋１とからなり、コンクリート枠体４０の内部空間Ｓには、地中に埋設した多孔管５０，５０の各端が露出し、この接続部５１内で各電線が接続される。上記内部空間Ｓに作業者が入ってメンテナンス作業を行う。このため、重量物である蓋１の移動装置１００は、鉄製受け枠４３内の両隅に適宜個数を常時設置され、蓋１の上側から本発明のハンドル機具２００により移動装置１００を遠隔操作して、蓋１を開閉移動させる。
【００１７】
上記ハンドル機具２００は、図３，８に示すように、蓋１の両隅にあけた貫通孔１Ａ又は切り欠きを介してハンドル機具２００であるハンドル２７の操作棒２７Ａの先端連結部２７Ｂを移動装置１００のネジ棒１９の先端連結部１９Ａに連結させた後回転させ、蓋１を上昇移動させる。そして、カイドレール機能をもたせた上側基板１３を路面Ｒの高さと一致させたところで、矢印のように、路面Ｒ上に蓋１を、その下面のローラ１Ｂを転がして移動させる。
【００１８】
上記蓋１の移動装置１００は、例えば、図５に示す構成のものが採用される。一対の基板１１，１３を平行姿勢のもとに上下に配置する。上記基板１３は、２本のリンク杆１５，１７の中腹部にあけた長孔（ａ），（ｂ）をＸ字状に連結具２１により交差結合したリンク機構Ｌｏの各リンク杆１５，１７の上端部と、ピンＰ１，Ｐ１で連結支持されている。一方、リンク杆１５，１７の各下端１５Ａ，１７Ａは、下側基板１１上を滑るローラ１５Ｂ，１７Ｂを備え、基板１１上に接している。これにより、リンク杆１５，１７を横方向へスライド可能に支持している。勿論、ローラ１５Ｂ，１７Ｂを滑辺に変更してもよい。尚、下側基板１１は平坦な断面形状を有し、一方、上側の基板１３はＨ型の断面形状を有し、ガイドレールの機能を果たすようになっている。勿論、ガイドレールの機能を必要としないときは、基板１３は基板１１と同様に平坦な断面形状としてもよい。そして、上記基板１１上に上下方向に向けてネジ棒１９を回転可能に固着し、上記ネジ棒１９の中腹部とリンク機構Ｌｏである上記連結具２１の交差結合部２１Ａとをネジ係合させている。これで、上記ネジ棒１９を回転操作すると、ネジ棒１９とネジ係合する連結具２１が上下に移動する。これによって、各リンク杆１５，１７に交差角度の拡開・縮小運動が起き、基板１３を基板１１に対して接近・離反させるようになっている。
【００１９】
上記ネジ棒１９は、図５に示すように、上側基板１３の直下に位置する連結具２１の中央位置で連結され、リンク機構Ｌｏの各リンク杆１５，１７の間に立設されている。上記ネジ棒１９の軸心延長線上位置の基板１３には貫通孔１３Ａ又は切り欠きを設け、この貫通孔１３Ａ又は切り欠きから操作ハンドル２７を挿入し、ネジ棒１９の先端連結部１９Ａに操作ハンドル２７の連結部２７Ｂを結合して操作できるようになっている。尚、上下基板１１，１３の左右両隅には、基板１３の横ズレを防ぐ筒体２９Ａと棒材２９Ｂとからなる案内部材２９を備えているが、これを省略しても機能上は支障がない。
【００２０】
本発明のハンドル機具２００及びこの移動装置１００と、この移動装置１００を配置する電線共同溝（Ｃ．Ｃ．ＢＯＸ）５３は、上記のように構成されている。続いて、上記電線共同溝（Ｃ．Ｃ．ＢＯＸ）５３の蓋１をハンドル機具２００及びこの移動装置１００により、開閉移動させる操作及びその作用を図６〜１０により説明する。
【００２１】
先ず、図２，３，１２において、蓋１の開口移動に際して、２つの移動装置１００が適宜間隔で蓋１の下側に配置されており、この移動装置に載せた蓋１の両隅に設けたバカ孔１Ａからキャップ３を外し、図６，７に示すように、このバカ孔１Ａに、ハンドル機具２００の操作棒２７Ｃの先端に設けた連結部２７Ｂを挿入し、このバカ孔の直下に配置するネジ棒１９の先端連結部１９Ａと係合させる。この係合に先立ち、支持部材６０をバカ孔１Ａに嵌合させない状態において、図６に示すように、蓋１のバカ孔１Ａの隙間Ｘから内部を覗き込み、操作棒２７Ｃの連結部２７Ｂをネジ棒１９の先端連結部１９Ａに目視により係合させる。
【００２２】
上記係合方法は、受け枠４３に対して固定的に配置するネジ棒１９の軸心Ｏに対して、蓋１のバカ孔１Ａの中心Ｏ１が或る量Ｙだけズレているときに素速く係合させられる。勿論、このとき図６に示すように、蓋１が受け枠４３の係止側面４３Ａに対して大きな隙間Ｚ´を生じさせている。そして、係合後には、図７に示すように、操作棒２７Ｃの連結部２７Ｂのネジ棒１９との結合点Ｐを支点にし、且つ、バカ孔１Ａと接する部位Ｑをテコの原理でハンドル２７により「矢印方向」へ操作すれば、蓋１を「矢印方向」に横移動させることができ、両者の軸心Ｏ，Ｏ１が合い、又、受け枠４３の係止側面４３Ａとの大きな隙間Ｚ´も適正量Ｚとなる。
【００２３】
次に、図８に示すように、両者の軸心Ｏ，Ｏ１が合った状態にて、上記ハンドル機具２００であるハンドル２７を手操作により「実線矢印方向」へ回転する。この時、操作棒２７Ｃは連結部２７Ｂがネジ棒１９の先端連結部１９Ａと係合され、且つ、操作棒２７Ｃの中腹が蓋１のバカ孔１Ａに嵌合した支持部材６０により支持されて、上下２点間で回転可能に支持される。これにより、ハンドル機具２００であるハンドル２７は、横ブレすることなく操作棒２７Ｃをネジ棒１９の軸心に一致させた状態にて、円滑に回転操作することができる。この回転操作により、移動装置１００の基板１３が上昇して蓋１を１´のように路面Ｒへの移送を可能なレベルに軽快に移動させる。
【００２４】
尚、図９に示すように、蓋１の移動に際して、蓋１の両隅に設けたバカ孔１Ａの中心Ｏ１がネジ棒１９の軸心Ｏにほぼ一致している時は、上記操作棒２７Ｃに摺動及び回転可能に嵌合させた支持部材６０を蓋１にあけたバカ孔１Ａに嵌合して支持する。これで垂直姿勢に支持された操作棒２７Ｃの軸心Ｏとネジ棒１９の軸心Ｏ１とをほぼ一致させる。ここで、支持部材６０に支持された操作棒２７Ｃをゆっくり引き下げると、その連結部２７Ｂがネジ棒１９の先端連結部１９Ａと円滑に係合する。
【００２５】
しかして、両者の軸心Ｏ，Ｏ１が合った状態にて、上記ハンドル機具２００であるハンドル２７を手操作により「実線矢方向」へ回転する。この時、操作棒２７Ｃの連結部２７Ｂがネジ棒１９の先端連結部１９Ａと係合され、且つ操作棒２７Ａの中腹が蓋１のバカ孔１Ａに嵌合して支持した支持部材６０により支持されて、２点で回転可能に支持されているから、ハンドル機具２００であるハンドル２７は横ブレすることなく操作棒２７Ｃをネジ棒１９の軸心に一致させた状態にて円滑に回転操作することができる。この回転操作により、移動装置１００の基板１３が上昇して蓋１を軽快に移動させる。
【００２６】
次に、蓋１の閉口移動時には、図１０に示すように、路面Ｒ上から基板１３上へ蓋１を移送して位置決めする。次に上記開口時と同様の操作を行なって、操作棒２７Ｃの連結部２７Ｂをネジ棒１９の先端連結部１９Ａに係合させ、且つ、係合後には、両者の軸心Ｏ，Ｏ１を一致させる。もし、蓋１に位置ズレがＺ´のようにある場合は、操作棒２７Ｃの連結部２７Ｂのネジ棒１９との結合点Ｐを支点にし、且つ、バカ孔１Ａと接する部位Ｑをテコの原理でハンドル２７により「矢印方向」へ操作すれば、蓋１を「矢印方向」に横移動させることができ、両者の軸心Ｏ，Ｏ１が合い、又、受け枠４３の係止側面４３Ａとの大きな隙間Ｚ´も適正量Ｚとなる。これにより、両者１Ａ，１９の軸心Ｏ，Ｏ１が一致し、この後、支持部材６０をバカ孔１Ａに嵌合させて、図８に示すように、両者の軸心Ｏ，Ｏ１が合った状態にて、上記ハンドル機具２００であるハンドル２７を手操作により「鎖線矢印方向」へ回転させて、蓋１を受け枠４３の係止座４３Ｂ上に載せる。
【００２７】
上記のように、本発明のハンドル機具２００を移動装置１００の操作に使用すると、ネジ棒１９の軸心Ｏと蓋１のバカ孔１Ａの中心Ｏ１が或る量Ｙだけズレているときには、テコの原理でハンドル２７を操作すれば蓋１を横移動させることができ、両者の軸心Ｏ，Ｏ１が簡便に合せられる効果がある。例えば、図１０に示すように、蓋１を受け枠４３に嵌め込む場合にも、蓋１を受け枠４３の正確な嵌め込み位置にセットできるので、この嵌め込みが確実にできることになる。
【００２８】
又、操作棒２７Ｃは、その連結部２７Ｂと中腹が２点支持で回転可能に支持されているから、ハンドル機具２００であるハンドル２７に横ブレを起こすことなく操作棒２７Ｃをネジ棒１９の軸心に一致させた状態にて円滑に回転操作できる効果がある。
【００２９】
更に、本発明ハンドル機具２００であるハンドル２７に、図４に示すように、支持部材６３を使用すると、上記蓋１にあけたバカ孔１Ａに、段部６３Ｂとこの下側に続く長い筒部６３Ｃとを嵌合して支持するから、この支持部材６３と蓋１にあけたバカ孔１Ａとの嵌合精度を高くすることができ、更に、支持部材６３に対する操作棒２７Ｃの支持もより一層安定した姿勢となり操作棒２７Ａの連結部２７Ｂを確実にネジ棒の上端連結部に係合できる。
【００３０】
本発明は、前記各実施形態に限定されることなく発明の要旨内において、設計変更を成し得ること勿論である。例えば、蓋１にあけた孔１Ａに嵌合して支持する支持部材の形状・構造は、上記のものに限定されない。例えば、筒状に限らずＣ字状として操作棒に摺動可能に装着したものでも良い。又、移動装置１００の構造も図示のものに限らず、ネジ棒により操作できるものであれば良い。又、移動装置１００の使用対象物も上記電線共同溝（Ｃ．Ｃ．ＢＯＸ）５３の使用例に限らないし、その配置方向も上下方向に限らず、横方向や斜め方向であっても良い。更に、蓋１の両側に配置した２つの移動装置１００の操作を１人の作業者が同時に行ないたい時は、図１１に示すように、連接板５により両ハンドル２７，２７を繋ぎ、この連接板を１人の作業者がクランク運動してハンドル２７を回転させ、蓋１を移動させることができる。又、上記バカ孔１Ａは、その一部を切り欠いた切り欠きとしても良い。
【００３１】
【発明の効果】
以上のように本発明の請求項１によると、ハンドル機具の操作棒の先端にネジ棒と係合する連結部を備え、上記重量物にあけた貫通孔又は切り欠きに嵌合支持する支持部材を操作棒に摺動可能に装着させたから、操作棒の連結部と移動装置のネジ棒との係合が容易にでき、又、ハンドル操作時には、操作棒はその連結部と中腹部との２点支持で回転可能に支持され、ハンドルに横ブレを起こすことなく操作棒をネジ棒の軸心に一致させた状態にて円滑に回転操作できる効果がある。この結果、重量物にあけた貫通孔又は切り欠きからハンドルを挿入して移動装置のネジ棒を操作するとき、重量物前面の広い空間でのハンドル操作が軽快にできる効果がある。
【００３２】
本発明の請求項２によると、蓋の移動に際して、ネジ棒の軸心に対して、蓋の貫通孔又は切り欠きの中心がズレているときに素速く係合させられ、係合後は操作棒先端の結合点を支点にし、且つ、貫通孔又は切り欠きと接する部位をテコの原理でハンドル操作すれば蓋が横移動し、両者の軸心が簡単に合わせられるし、ハンドル機具を手操作により回転させる時、操作棒の連結部がネジ棒の先端連結部と係合し、且つ、操作棒の中腹が、蓋の貫通孔又は切り欠きに嵌合して支持する支持部材によって支持され、２点で回転可能に支持されているから、ハンドル機具は横ブレすることなく、操作棒をネジ棒の軸心に一致させた状態にて円滑に回転操作でき、又、両者の軸心が合わせられるので、蓋を所定の位置に正確に移動できる、蓋の移動装置を備えた地下埋設物構造を提供できる。
【図面の簡単な説明】
【図１】本発明の実施形態を示す図で、ハンドル機具の斜視図である。
【図２】本発明の実施形態を示す図で、共同電線溝の平面図である。
【図３】本発明の実施形態を示す図で、共同電線溝の断面図である。
【図４】本発明の実施形態を示す図で、ハンドルの支持状態を示す断面図である。
【図５】本発明の実施形態を示す図で、共同電線溝等の重量物に採用される移動装置の斜視図である。
【図６】本発明の実施形態を示す図で、ハンドル機具の使用状態を示す正面図である。
【図７】本発明の実施形態を示す図で、ハンドル機具の使用状態を示す正面図である。
【図８】本発明の実施形態を示す図で、ハンドル機具の使用状態を示す正面図である。
【図９】本発明の実施形態を示す図で、ハンドル機具の使用状態を示す正面図である。
【図１０】本発明の実施形態を示す図で、ハンドル機具の使用状態を示す正面図である。
【図１１】従来例を示す図で、共同電線溝等の重量物に採用した移動装置の斜視図である。
【図１２】従来例を示す図で、重量物に設けたバカ孔の断面図である。
【図１３】従来例の使用を示す図で、ハンドル操作を説明する断面図である。
【符号の説明】
１                                  重量物（蓋）
１Ａ                                バカ孔
１Ｂ                                コロ
１Ｃ                                段部
１Ｄ                                嵌合部
１１，１３                          基板
１３Ａ                              孔又は切り欠き
１５，１７                          リンク
Ｌｏ                                リンク機構
１９                                ネジ棒
１９Ａ                              先端連結部
２１                                連結具
２７                                ハンドル
２７Ａ                              握り部
２７Ｂ                              連結部
２７Ｃ                              操作棒
２９                                案内部材
３１，３３                          支持板
３１Ａ，３３Ａ                      長孔
４０                                枠体
４３                                受け枠
４３Ａ                              係止側面
４３Ｂ                              係止座
６０，６３                          支持部材
６０Ａ，６３Ａ                      支持孔
６３Ｂ                              段部
６３Ｃ                              筒部
１００                              重量物移動装置
２００                              ハンドル機具
Ｏ，Ｏ１                            軸心
【図１】
0003602642.tif 000002
【図２】
0003602642.tif 000003
【図３】
0003602642.tif 000004
【図４】
0003602642.tif 000005
【図５】
0003602642.tif 000006
【図６】
0003602642.tif 000007
【図７】
0003602642.tif 000008
【図８】
0003602642.tif 000009
【図９】
0003602642.tif 000010
【図１０】
0003602642.tif 000011
【図１１】
0003602642.tif 000012
【図１２】
0003602642.tif 000013
【図１３】
0003602642.tif 000014